(57)【要約】      （修正有）【課題】扉体の簡易離脱、衝撃痛緩和、健康維持を含む複合機能を有し、日常生活に欠かすことのできない安心、安全、健康に寄与する。【解決手段】扉体１のケース５に格納されているのは可動軸６である。更に枠体２に固着されているのは可動軸ガイド７である。可動軸操作部３を回転操作することで組み付けられている操作ギア８と噛合っている可動軸ギア９と連動して可動軸ギア９と連動して可動軸６は上又は下に作動する。扉体の開側に人が凭れ懸かるように倒れて開くことが出来ない状態にあっても操作部を下方側に操作することで可動軸は可動軸ガイドより開放されて扉体をその枠体からなんら損壊することなく簡単に素早く離脱し得るようにする。【選択図】図２
0003110213.tif 000002
【実用新案登録請求の範囲】
【請求項１】
扉体は支持軸と操作部を有する可動軸からなるセーフティー機構を有し、操作部を任意回転させることにより可動軸は上方又は下方にスライドしてなり、扉体の開側に人が凭れ懸かるように倒れて開くことが出来ない状態にあっても操作部を下方側に操作することで可動軸は可動軸ガイドより開放されて扉体をその枠体からなんら損壊することなく簡単に素早く離脱し得るようにした安心に配慮してなることを特徴とする気配りドア。
【請求項２】
扉体の任意の場所にゴム体からなる衝撃緩和装置を簡易接着することにより扉体に身体の一部又は全部が衝突しても衝撃痛を緩和する機能を得てなり、更に損壊・汚染等の場合には簡単に必要箇所の衝撃緩和装置を部分交換ができる安全に配慮してなることを特徴とする請求項１記載の気配りドア。
【請求項３】
扉体及び衝撃緩和装置を施した表面の一部又は全部に環境浄化機能を有する光触媒表面層を形成してなり、必要に応じて扉体及び衝撃緩和装置の一部又は全部にその表面を劣化させないための皮膜層を施し、更にその上に光触媒表面層を形成することにより扉体及び衝撃緩和装置の表面汚れを防止すると共に、光触媒表面層に接触するＶＯＣ（揮発性有機化合物）、空中浮遊菌を含む有害物質を除去し得る健康に配慮してなることを特徴とする請求項１〜２記載の気配りドア。
【考案の詳細な説明】
【技術分野】
【０００１】  本考案は、安心、安全、健康に配慮した気配りドアに関する。より詳しくは、扉体は支持軸と操作部を有する可動軸からなるセーフティー機構を有し、操作部を任意回転させることにより可動軸は上方又は下方にスライドしてなり、扉体の開側に人が凭れ懸かるように倒れて開くことが出来ない状態にあっても操作部を下方側に操作することで可動軸は可動軸ガイドより開放されて扉体をその枠体からなんら損壊することなく簡単に素早く離脱し得るようにした安心技術、扉体の任意の場所にゴム体からなる衝撃緩和装置を簡易接着することにより扉体に身体の一部又は全部が衝突しても衝撃痛を緩和する機能を得て、更に損壊・汚染等の場合には簡単に必要箇所の衝撃緩和装置を部分交換ができる安全技術、扉体及び衝撃緩和装置を施した表面の一部又は全部に環境浄化機能を有する光触媒表面層を形成してなり、必要に応じて扉体及び衝撃緩和装置の一部又は全部にその表面を劣化させないための皮膜層を施し、更にその上に光触媒表面層を形成することにより扉体及び衝撃緩和装置の表面汚れを防止すると共に、光触媒表面層に接触するＶＯＣ（揮発性有機化合物）、空中浮遊菌を含む有害物質を除去し得る健康技術を併せ持つトリプル技術に関する。
【背景技術】
【０００２】  框組の内周に、框組に対して脱衣室側へ開放可能に軸支された緊急脱出扉を収納した浴室ドアであり、緊急脱出扉は、横額縁の一端、または一方の縦額縁が横框に対して縦軸を中心に回転自在、且つ横框の長さ方向に移動自在に横框に支持されている緊急脱出扉付き浴室ドア。
【特許文献１】特開平６−３０７１６８
【０００３】  建物のすべての室を区切るために取り付けて開閉する建具に衝撃防止手段を固定する。衝撃防止手段は、枠部材の一部又は全部に緩衝材からなる衝撃防止手段を固着してなり、又は、建具芯部材の片側若しくは両側から枠部材の一部又は全部に緩衝材からなる衝撃防止装置を固着してなる衝撃防止建具。
【実用新案文献１】
実用新案登録第３０９２３１８号
【０００４】  少なくとも凹凸を有する表面を備える基材と、この基材の前記凹凸を有する表面に付与された粒子を有し、前記粒子は、Ａｘ（ＢＯｙ）ｚＸで表される化合物又はＡｘ（ＢＯｙ）ｚＸで表される化合物によって少なくとも一部が被覆された光触媒材料を含んでおり、前記化合物において、ＡはＣａ、Ｃｏ、Ｎｉ、Ｃｕ、Ａｌ、Ｌａ、Ｃｒ、Ｆｅ、Ｍｇより成る群から１以上の原子が選択され、ＢはＰ及びＳより成る群から１以上の原子が選択され、ＸはＯＨ、ＣＯ３、ハロゲン原子より成る群から１以上の基が選択される光触媒を備える内装材。
【特許文献２】特開２００３−３３４４５３
【考案の開示】
【考案が解決しようとする課題】
【０００５】  解決しようとする問題点は、框組の内周に、框組に対して脱衣室側へ開放可能に軸支された緊急脱出扉を収納した浴室ドアであり、緊急脱出扉は、横額縁の一端、または一方の縦額縁が横框に対して縦軸を中心に回転自在、且つ横框の長さ方向に移動自在に横框に支持されている緊急脱出扉付き浴室ドアにあっては、構造が複雑で製作コストが高く付き、普及させるには課題が多くある。【０００６】  建物のすべての室を区切るために取り付けて開閉する建具に衝撃防止手段を固定する。衝撃防止手段は、枠部材の一部又は全部に緩衝材からなる衝撃防止手段を固着してなり、又は、建具芯部材の片側若しくは両側から枠部材の一部又は全部に緩衝材からなる衝撃防止装置を固着してなる衝撃防止建具にあっては、ゴム体で構成されており衝突することによる損壊、また経時劣化、汚れの付着等による交換対策が施されていない課題がある。【０００７】  少なくとも凹凸を有する表面を備える基材と、この基材の前記凹凸を有する表面に付与された粒子を有し、前記粒子は、Ａｘ（ＢＯｙ）ｚＸで表される化合物又はＡｘ（ＢＯｙ）ｚＸで表される化合物によって少なくとも一部が被覆された光触媒材料を含んでおり、前記化合物において、ＡはＣａ、Ｃｏ、Ｎｉ、Ｃｕ、Ａｌ、Ｌａ、Ｃｒ、Ｆｅ、Ｍｇより成る群から１以上の原子が選択され、ＢはＰ及びＳより成る群から１以上の原子が選択され、ＸはＯＨ、ＣＯ３、ハロゲン原子より成る群から１以上の基が選択される光触媒を備える内装材にあっては、光触媒材料が直接接触すると不具合を生じる有機基材への固着手段が示されていない問題がある。
本考案は、このような課題を解決し、安心、安全、健康に配慮したユニバーサルデザイン製品と、なすことを最も主要な特徴としてなされたものである。
【課題を解決するための手段】
【０００８】  扉体は支持軸と操作部を有する可動軸からなるセーフティー機構を有し、操作部を任意回転させることにより可動軸は上方又は下方にスライドしてなり、扉体の開側に人が凭れ懸かるように倒れて開くことが出来ない状態にあっても操作部を下方側に操作することで可動軸は可動軸ガイドより開放されて扉体をその枠体からなんら損壊することなく簡単に素早く離脱し得るようにした安心に配慮してなることを特徴とする気配りドアにすることが望ましい。【０００９】  扉体の任意の場所にゴム体からなる衝撃緩和装置を簡易接着することにより扉体に身体の一部又は全部が衝突しても衝撃痛を緩和する機能を得てなり、更に損壊・汚染等の場合には簡単に必要箇所の衝撃緩和装置を部分交換ができる安全に配慮してなることを特徴とする気配りドア。このゴム体には同一種類又は異なる種類のゴムを貼り合わせてなるものも含まれるものとする。【００１０】  扉体及び衝撃緩和装置を施した表面の一部又は全部に環境浄化機能を有する光触媒表面層を形成してなり、必要に応じて扉体及び衝撃緩和装置の一部又は全部にその表面を劣化させないための皮膜層を施し、更にその上に光触媒表面層を形成することにより扉体及び衝撃緩和装置の表面汚れを防止すると共に、光触媒表面層に接触するＶＯＣ（揮発性有機化合物）、空中浮遊菌を含む有害物質を除去し得る健康に配慮してなることを特徴とする気配りドア。この光触媒表面層を形成するための原材料としては二酸化チタンを含有してなるのが好まれる。
【考案の効果】
【００１１】  以上説明したように、本考案による気配りドアにおいては、扉体の簡易離脱、衝撃痛緩和、健康維持を含む複合機能を有し、日常生活に欠かすことのできない安心、安全、健康に寄与する三大効果を併せ持っている。【００１２】  扉体は支持軸と操作部を有する可動軸からなるセーフティー機構を有し、操作部を任意回転させることにより可動軸は上方又は下方にスライドしてなり、扉体の開側に人が凭れ懸かるように倒れて開くことが出来ない状態にあっても操作部を下方側に操作することで可動軸は可動軸ガイドより開放されて扉体をその枠体からなんら損壊することなく簡単に素早く離脱し得るようにした安心に配慮してなることを特徴とする気配りドアであって、損壊しないゆえに補修の必要性もなく何度も繰り返し使用することが可能である。【００１３】  扉体の任意の場所にゴム体からなる衝撃緩和装置を簡易接着することにより扉体に身体の一部又は全部が衝突しても衝撃痛を緩和する機能を得てなり、更に損壊・汚染等の場合には簡単に必要箇所の衝撃緩和装置を部分交換ができる安全に配慮することにより必要最小限の時間と費用で素早く復旧できる。【００１４】  扉体及び衝撃緩和装置を施した表面の一部又は全部に環境浄化機能を有する光触媒表面層を形成してなり、必要に応じて扉体及び衝撃緩和装置の一部又は全部にその表面を劣化させないための皮膜層を施し、更にその上に光触媒表面層を形成することにより扉体及び衝撃緩和装置の表面汚れを防止すると共に、光触媒表面層に接触するＶＯＣ（揮発性有機化合物）、空中浮遊菌を含む有害物質を除去し得る健康に配慮してなることを特徴とする気配りドア。この光触媒表面層を形成するための原材料として二酸化チタンが好まれており、この光触媒性能から扉体及び衝撃緩和装置の表面劣化を予防する皮膜層にシリカ又はシリコーンを用いることで長期間にわたり光触媒効果は機能する。
【考案を実施するための最良の形態】
【００１５】  次に、本考案を実施するための最良の形態を添付図面に従って説明する。
【実施例１】
【００１６】  図１は、本考案実施の形態の一例を示す正面図である。
符号１に示すのは扉体であり符号２に示すのは枠体である。符号３は可動軸操作部で符号４は取手である。【００１７】  図２は、図１正面図のＡ部分拡大縦断面図で可動軸部の一例を示している。
扉体１の可動軸ケース５に格納されているのは可動軸６である。更に枠体２に固着されているのは可動軸ガイド７である。可動軸操作部３を回転操作することで組み付けられている操作ギア８と噛合っている可動軸ギア９と連動して可動軸６は上又は下に作動する。【００１８】  図３は、図１正面図のＢ部分拡大縦断面図で支持軸部の一例を示している。
枠体２にはＬ型支持軸ブラケット１０が固着されており扉体ハウジング１１を確実に支持している。【００１９】  図４に示すのは、衝撃緩和装置の一例を示す断面図である。
ゴム体からなる衝撃緩和装置１２ａであり対向衝撃緩和装置１２ｂである。それらは扉芯部材１３に簡易接着されている。【００２０】  図５に示すのは、光触媒を施した一例を示す断面図である。
ゴム体からなる衝撃緩和装置１４の表面に、シリカ又はシリコーンを含有する皮膜層１５が施されている。更にその上に光触媒層１６が形成されている。
【産業上の利用可能性】
【００２１】  安心、安全、健康に配慮したユニバーサルデザイン製品であることを最も主要な特徴とする気配りドアは、一般家庭からオフィス、病院、福祉施設、介護施設、公共施設、店舗などあらゆる場所で身障者、健常者を問わず適用できる。
【図面の簡単な説明】
【００２２】
【図１】本考案実施の形態の一例を示す正面図である。
【図２】図１正面図のＡ部分拡大縦断面図で可動軸部の一例を示している。
【図３】図１正面図のＢ部分拡大縦断面図で支持軸部の一例を示している。
【図４】衝撃緩和装置の一例を示す断面図である。
【図５】光触媒を施した一例を示す断面図である。
【符号の説明】
【００２３】  １    扉体
２    枠体
３    可動軸操作部
４    取手
５    可動軸ケース
６    可動軸
７    可動軸ガイド
８    操作ギア
９    可動軸ギア
１０    Ｌ型支持軸ブラケット
１１    扉体ハウジング
１２ａ  衝撃緩和装置
１２ｂ  対向衝撃緩和装置
１３    扉芯部材
１４    衝撃緩和装置
１５    皮膜層
１６    光触媒層
【図１】
0003110213.tif 000003
【図２】
0003110213.tif 000004
【図３】
0003110213.tif 000005
【図４】
0003110213.tif 000006
【図５】
0003110213.tif 000007